(57)【要約】【課題】組立構造を堅固にし、接合箇所が緩んだり縮んだりすることを防いで安全性を高める歩行補助器構造を提供する。【解決手段】歩行補助器構造は、互いに嵌合された中空状の主桿１及び支桿２を備える。主桿１と支桿２との間には、緩衝ユニット３が配置されている。主桿１、支桿２及び緩衝ユニット３が互いに接合される箇所には、互いに対応する挿入孔１１，２１，３１３が設けられている。主桿１、支桿２及び緩衝ユニット３の挿入孔１１，２１，３１３には、ピン３４がそれぞれ挿入される。【選択図】図１
0003173166.tif 000002
【実用新案登録請求の範囲】
【請求項１】
互いに嵌合された中空状の主桿及び支桿を備える歩行補助器構造であって、
前記主桿と前記支桿との間には、緩衝ユニットが配置され、前記主桿、前記支桿及び前記緩衝ユニットが互いに接合される箇所には、互いに対応する挿入孔が設けられ、前記主桿、前記支桿及び前記緩衝ユニットの前記挿入孔には、ピンがそれぞれ挿入されることを特徴とする歩行補助器構造。
【請求項２】
前記緩衝ユニットは、中空部を有するスリーブと、組立桿と、弾性体とを有し、
前記スリーブの前記中空部には前記組立桿が挿設され、前記組立桿の端部には、挿入孔が設けられ、前記スリーブの側部には、長孔が設けられ、前記支桿の前記挿入孔と、前記スリーブの前記長孔と、前記組立桿の前記挿入孔とに前記ピンが挿入され、前記スリーブの他端から突出された前記組立桿が前記支桿の中空部に挿設され、前記支桿の前記中空部に挿設された前記組立桿の他端に当接ブロックが設けられ、前記組立桿に前記弾性体が外嵌され、前記弾性体の両端が前記組立桿の当接ブロック及び前記スリーブの一端にそれぞれ当接され、前記スリーブの他端が前記主桿の中空部に挿設され、前記スリーブの他端に設けられた挿入孔と、前記主桿に設けられた前記挿入孔とに前記ピンを挿入し、前記主桿と前記緩衝ユニットとを固定させることを特徴とする請求項１に記載の歩行補助器構造。
【請求項３】
前記緩衝ユニットは、中空部を有するスリーブと、組立桿と、弾性体とを有し、
前記スリーブの前記中空部には前記組立桿が挿設され、前記スリーブに挿設される組立ブロックの端部には挿入孔が設けられ、前記スリーブの側部には、長孔が設けられ、前記支桿の前記挿入孔と、前記スリーブの前記長孔と、前記組立ブロックの前記挿入孔とに前記ピンが挿入され、前記支桿の中空部に当接ブロックが配置され、前記組立ブロックに前記弾性体が外嵌され、前記弾性体の両端が前記当接ブロック及び前記スリーブの一端にそれぞれ当接され、前記スリーブの他端が前記主桿の中空部に挿設され、前記スリーブの他端に設けられた挿入孔と、前記主桿に設けられた前記挿入孔とに前記ピンを挿入し、前記主桿と前記緩衝ユニットとを固定させることを特徴とする請求項１に記載の歩行補助器構造。
【考案の詳細な説明】
【技術分野】
【０００１】
本考案は、歩行補助器構造に関し、特に、堅固な組立構造により接合箇所が緩んだり縮んだりすることを防いで安全性を高める歩行補助器構造に関する。
【背景技術】
【０００２】
図９を参照する。図９に示すように、老化により体力が衰えたり足を怪我したりして歩くのが不便な者は杖を使うのが一般的である。この杖は、主に互いに嵌合された中空状の主桿６と支桿７とにより構成され、主桿６と支桿７との間には緩衝ユニット８が配置されている。この緩衝ユニット８は、スリーブ８１及び組立桿８２を有する。組立桿８２は、支桿７が端部に固着され、弾性体８３が外嵌され、支桿７の他端に固着されてスリーブ８１の中空部に挿入し、組立桿８２の他端を拡張支持ブロック８４に取り付け、側壁に溝部８１１を有するスリーブ８１に拡張支持ブロック８４が当接されて押し広げられ、この押し広げられたスリーブ８１が主桿６の中空部に嵌合される。これにより、主桿６、支桿７及び緩衝ユニット８を互いに固定させることができる。
【０００３】
しかし、従来の杖は、押し広げられたスリーブ８１と主桿６の中空部の内壁との間に摩擦抵抗力を発生させ、主桿６と緩衝ユニット８との接合箇所を固定することにより、ユーザが地面に杖を押し付けたときの圧力や、地面からの反発力がスリーブ８１と主桿６の内壁との間に発生する摩擦抵抗力より大きい場合、緩衝ユニット８と主桿６との接合箇所が緩んで杖が突然縮み、ユーザがバランスを崩して転ぶ危険性がある。
【考案の概要】
【考案が解決しようとする課題】
【０００４】
本考案の目的は、堅固な組立構造により接合箇所が緩んだり縮んだりすることを防いで安全性を高める歩行補助器構造を提供することにある。
【課題を解決するための手段】
【０００５】
上記課題を解決するために、本考案の第１の形態によれば、互いに嵌合された中空状の主桿及び支桿を備える歩行補助器構造であって、前記主桿と前記支桿との間には、緩衝ユニットが配置され、前記主桿、前記支桿及び前記緩衝ユニットが互いに接合される箇所には、互いに対応する挿入孔が設けられ、前記主桿、前記支桿及び前記緩衝ユニットの前記挿入孔には、ピンがそれぞれ挿入されることを特徴とする歩行補助器構造が提供される。
【０００６】
また、前記緩衝ユニットは、中空部を有するスリーブと、組立桿と、弾性体とを有し、前記スリーブの前記中空部には前記組立桿が挿設され、前記組立桿の端部には、挿入孔が設けられ、前記スリーブの側部には、長孔が設けられ、前記支桿の前記挿入孔と、前記スリーブの前記長孔と、前記組立桿の前記挿入孔とに前記ピンが挿入され、前記スリーブの他端から突出された前記組立桿が前記支桿の中空部に挿設され、前記支桿の前記中空部に挿設された前記組立桿の他端に当接ブロックが設けられ、前記組立桿に前記弾性体が外嵌され、前記弾性体の両端が前記組立桿の当接ブロック及び前記スリーブの一端にそれぞれ当接され、前記スリーブの他端が前記主桿の中空部に挿設され、前記スリーブの他端に設けられた挿入孔と、前記主桿に設けられた前記挿入孔とに前記ピンを挿入し、前記主桿と前記緩衝ユニットとを固定させることが好ましい。
【０００７】
また、前記緩衝ユニットは、中空部を有するスリーブと、組立桿と、弾性体とを有し、前記スリーブの前記中空部には前記組立桿が挿設され、前記スリーブに挿設される組立ブロックの端部には挿入孔が設けられ、前記スリーブの側部には、長孔が設けられ、前記支桿の前記挿入孔と、前記スリーブの前記長孔と、前記組立ブロックの前記挿入孔とに前記ピンが挿入され、前記支桿の中空部に当接ブロックが配置され、前記組立ブロックに前記弾性体が外嵌され、前記弾性体の両端が前記当接ブロック及び前記スリーブの一端にそれぞれ当接され、前記スリーブの他端が前記主桿の中空部に挿設され、前記スリーブの他端に設けられた挿入孔と、前記主桿に設けられた前記挿入孔とに前記ピンを挿入し、前記主桿と前記緩衝ユニットとを固定させることが好ましい。
【考案の効果】
【０００８】
本考案の歩行補助器構造は、緩衝ユニットと、支桿及び主桿との間をピンにより固定し、主桿、支桿及び緩衝ユニットのそれぞれの接続箇所を堅固にすることにより、ユーザが歩行補助器構造に加える力が大きすぎても、接合箇所が緩んだり縮んだりしてユーザが突然バランスを崩して倒れることを防ぐことができる。
【図面の簡単な説明】
【０００９】
【図１】本考案の第１実施形態による歩行補助器構造を示す分解斜視図である。
【図２】本考案の第１実施形態による歩行補助器構造を示す斜視図である。
【図３】本考案の第１実施形態による歩行補助器構造を示す断面図である。
【図４】本考案の第１実施形態による歩行補助器構造を使用するときの状態を示す断面図である。
【図５】本考案の第２実施形態による歩行補助器構造を示す分解斜視図である。
【図６】本考案の第２実施形態による歩行補助器構造を示す断面図である。
【図７】本考案の第３実施形態による歩行補助器構造を示す斜視図である。
【図８】本考案の第４実施形態による歩行補助器構造を示す斜視図である。
【図９】従来の杖を示す分解斜視図である。
【考案を実施するための形態】
【００１０】
当該分野の技術を熟知するものが理解できるように、本考案の好適な実施形態を以下に開示するが、これらは決して本考案を限定するものではない。本考案の主旨と領域を逸脱しない範囲内で各種の変更や修正を加えることができる。従って、本考案の実用新案登録請求の範囲は、以下のような変更や修正を含めて広く解釈されるべきである。
【実施例】
【００１１】
（第１実施形態）
図１〜図３を参照する。図１〜図３に示すように、本考案の第１実施形態による歩行補助器構造は、少なくとも主桿１、支桿２、緩衝ユニット３及び固定ユニット４から構成される。
【００１２】
主桿１は、中空管体であり、上から下方向にかけて配列された複数の挿入孔１１が両側に設けられ、これら複数の挿入孔１１が主桿１の中空部１２と連通し、握り部１３が上端に取り付けられている。
【００１３】
支桿２は、中空管体であり、主桿１が外嵌され、支桿２の中空部２２と連通する挿入孔２１が両側に設けられ、滑り止めブロック２３が底端に取り付けられている。
【００１４】
緩衝ユニット３は、主桿１と支桿２との間に配置され、スリーブ３１、組立桿３２及び弾性体３３を含む。挿入孔３２１を端部に有する組立桿３２は、スリーブ３１の中空部３１１に挿設される。スリーブ３１の側部には、長孔３１２が設けられている。スリーブ３１の長孔３１２と、組立桿３２の挿入孔３２１との中にピン３４が挿入され、支桿２の両側に設けた挿入孔２１にピン３４の両端が挿入され、組立桿３２から突出されたスリーブ３１の他端を支桿２の中空部２２に嵌合させ、支桿２の中空部２２に当接ブロック３５を挿設し、組立桿３２上に弾性体３３を外嵌し、組立桿３２の当接ブロック３５にスリーブ３１の端部に配置した弾性体３３の両端をそれぞれ当接させ、組立桿３２の他端をスリーブ３１に挿設して主桿１の中空部１２に挿設させ、スリーブ３１の他端に設けた挿入孔３１３を、主桿１に設けた挿入孔１１に対応させる。
【００１５】
固定ユニット４は、主桿１の挿入孔１１及びスリーブ３１の挿入孔３１３に挿入させるピン４１を有する。このピン４１は、主桿１に挟持ブロック４２の切欠き部４２１を密着させることが可能なように、主桿１の挿入孔１１から突出された端部にＣ字状の挟持ブロック４２が取り付けられている。
【００１６】
上述の構成により、足が悪い老人又は足に怪我をした者が本考案の歩行補助器構造を利用すると、容易に立ち上がったり歩いたりすることができるようになる。実際に使用する際は、図２及び図３に示すように、ユーザ自身の身長に応じて本考案の歩行補助器構造の長さを調整する。長さを調整するときは、固定ユニット４の挟持ブロック４２を手で握り、主桿１の挿入孔１１及び緩衝ユニット３から、スリーブ３１に設けられた挿入孔３１３から固定ユニット４を取り外し、ユーザの身長に応じて主桿１から、支桿２に取り付けた緩衝ユニット３のスリーブ３１までの距離を調整して所望の長さに調整した後、主桿１の挿入孔１１と、スリーブ３１の挿入孔３１３とに固定ユニット４のピン４１を挿入して歩行補助具の長さを固定させる。
【００１７】
続いて、ユーザは、主桿１の握り部１３を手で握り、下方に設けられた支桿２を移動させたり地面に押し付けたりすると、下向きの圧力が主桿１に生じる。図４を併せて参照する。図４に示すように、主桿１と組み合わされた緩衝ユニット３は、スリーブ３１に下向きの圧力が加わると、弾性体３３が底端に当接され、弾性体３３の弾性圧縮により主桿１に弾性緩衝力が発生し、地面に接触したときに支桿２に発生する反発力及び振動を低減させることができる。緩衝ユニット３により反発力及び振動を低減させることができるため、ユーザの手と握り部１３との間で発生する摩擦を低減し、ユーザが長期間使用した場合でも振動により手が不快に感じることがなく、快適に使用することができる。支桿２の底部に設けられた滑り止めブロック２３が地面に接触すると、地面に対する摩擦力が高まって高い滑り止め効果を得ることができる。これにより、ユーザは本考案を利用して歩いたり立ったりしたときの安全性を高めることができる。
【００１８】
本考案は、ピン３４，４１により、緩衝ユニット３、支桿２及び主桿１をそれぞれ接合させて組み立てることができるため、構造強度が非常に堅固であり、ユーザが下向きに加える圧力が大きすぎたり、地面からの反発力及び振動が大きすぎたりすることにより、緩衝ユニット３、支桿２及び主桿１のそれぞれの接合箇所が緩んだり外れたりすることを防ぎ、この構造により、歩行補助器構造の使用寿命を延ばすことができる他、使用する際の安全性を高め、使用している最中に歩行補助器構造の内部構造が緩んだり損壊したりし、歩行補助器構造の支桿２及び主桿１が不用意に縮み、ユーザがバランスを崩して転んでしまうなどの危険性を無くすことができる。
【００１９】
（第２実施形態）
図５及び図６を参照する。図５及び図６に示すように、本考案の第２実施形態による歩行補助器構造は、緩衝ユニット３の組立桿３２が組立ブロック３６と代替されている。組立ブロック３６をスリーブ３１の中空部３１１に挿設し、組立ブロック３６の挿入孔３６１とスリーブ３１の側部に設けた長孔３１２とを対応させ、スリーブ３１の長孔３１２と組立ブロック３６の挿入孔３６１との中にピン３４を挿入し、支桿２の両側に設けた挿入孔２１にピン３４の両端を貫設し、支桿２の中空部２２に当接ブロック３５を配置することにより、組立ブロック３６及び当接ブロック３５に弾性体３３を取り付け、当接ブロック３５及びスリーブ３１の端部に弾性体３３の両端をそれぞれ当接し、この構成により第１実施形態と同様に高い組み立て構造強度及び緩衝効果を得て、桿状の組立桿３２をブロック状の組立ブロック３６により代替して使用することにより、材料コストを減らすことができる。
【００２０】
（第３及び第４実施形態）
本考案の構造及びサイズは、上述した第１実施形態及び第２実施形態の態様だけに限定される訳ではなく、安定性を高めるために、第３実施形態のように、支桿２の底端に放射状の脚フレーム２４を組み合わせたり（図７参照）、第４実施形態のように、歩行器５にバー５１を設けたりしてもよい（図８参照）。
【符号の説明】
【００２１】
１      主桿
２      支桿
３      緩衝ユニット
４      固定ユニット
５      歩行器
６      主桿
７      支桿
８      緩衝ユニット
１１    挿入孔
１２    中空部
１３    握り部
２１    挿入孔
２２    中空部
２３    滑り止めブロック
２４    脚フレーム
３１    スリーブ
３２    組立桿
３３    弾性体
３４    ピン
３５    当接ブロック
３６    組立ブロック
４１    ピン
４２    挟持ブロック
５１    バー
８１    スリーブ
８２    組立桿
８３    弾性体
８４    拡張支持ブロック
３１１  中空部
３１２  長孔
３１３  挿入孔
３２１  挿入孔
３６１  挿入孔
４２１  切欠き部
８１１  溝部
【図１】
0003173166.tif 000003
【図２】
0003173166.tif 000004
【図３】
0003173166.tif 000005
【図４】
0003173166.tif 000006
【図５】
0003173166.tif 000007
【図６】
0003173166.tif 000008
【図７】
0003173166.tif 000009
【図８】
0003173166.tif 000010
【図９】
0003173166.tif 000011